(57)【要約】【課題】球タンク内の遊技球をスピ−カの磁石から所定の距離遠ざける遮蔽部を該球タンクに一体に成形することにより、防磁シ−トを使用した場合のようにコストや面倒で余分な手間を省略できるようにした遊技機を提供する。【解決手段】遊技機本体ｐの前側上部にスピ−カ１２が配設され、遊技機本体ｐの後側上部にスピ−カ１２に近接させて球タンク２７が配設された遊技機Ｐであって、球タンク２７内におけるスピ−カ１２の磁石１４に近い部位に、球タンク２７に貯留される遊技球の内、磁石１４に近い部位の遊技球に対し磁石１４による磁界の影響を少なくするため磁石１４から遊技球を所定の距離遠ざける遮蔽部３５〜３７を球タンク２７と一体に成形するようにした。  【選択図】図４
2007159931.tif 000002
【特許請求の範囲】
【請求項１】
遊技機本体の前側上部にスピ−カが配設され、前記遊技機本体の後側上部に前記スピ−カに近接させて球タンクが配設された遊技機であって、
前記球タンク内における前記スピ−カの磁石に近い部位に、前記球タンクに貯留される遊技球の内、前記磁石に近い部位の遊技球に対し前記磁石による強い磁界の影響を少なくするため前記磁石から前記遊技球を所定の距離遠ざける遮蔽部を球タンクに一体に成形するようにしたことを特徴とする遊技機。
【請求項２】
前記遮蔽部は、前記球タンク内の前側壁と底壁との間に配設され該球タンクと一体に成形される平行な複数枚の遮蔽板からなり、前記各遮蔽板はその上端縁が前記前側壁側から離れるに従い漸次高さが低くなるように前記底壁上面に対して所定の角度で傾斜し、前記各遮蔽板間の溝の中心軸線間の距離は隣り合う遊技球同士が支え接触した状態で横並びしないように遊技球の球径よりも短くなっている請求項１記載の遊技機。
【請求項３】
前記遮蔽部は、前記球タンク内の前側壁と一側壁とのなす角部部位に位置し、その上面が前記前側壁側から前記底壁上面に至るまで該底壁上面に対し所定の角度で下傾するように成形される請求項１記載の遊技機。
【請求項４】
前記遮蔽部は、前記球タンク内の前側壁と一側壁とのなす角部部位に位置し、その周囲の側面がほぼ鉛直状に成形される請求項１記載の遊技機。
【発明の詳細な説明】
【技術分野】
【０００１】
本発明は、遊技機本体の前側上部にスピ−カを配設した遊技機に関するものである。
【背景技術】
【０００２】
従来、遊技機の一種であるパチンコ遊技機には、例えば遊技機本体における前側上部の両側にスピ−カを配設したものがある。そして、遊技の進行と共にスピ−カからその遊技内容に相応しい声、音、音楽を流すことにより、遊技の興趣を聴覚的に高めるようにしている（例えば、特許文献１参照。）。
ところで、前記のように遊技機本体の上部前面にスピ−カが配設されたパチンコ機にあっては、遊技機本体の後側上部の一側に球タンクが配設される関係上、該球タンクと前記スピ−カの磁石とが非常に近い位置関係になる。このように、球タンクとスピ−カの磁石とが近くなると、磁石による強い磁界の影響が球タンク内の特に磁石に近い部位に出る。例えば、球タンク内の遊技球が排出された後も、磁石に近い前側壁の内側であって底壁上面に数個の遊技球が接触した状態で互いに横並びに並んで留まったままとなっている。また、これら強く磁化された遊技球は、ゴミを吸着して表面に該ゴミが付着し易く、これにより遊技盤面や各種球通路の内壁面を汚すことになる。これらを放置しておくことは、パチンコ遊技機の管理上好ましいことではない。
【０００３】
これに対し、スピ−カ裏側の磁石による強い磁界の発生を抑えるため該磁石の外周面に防磁シ−トを貼着するようにしたスピ−カがある（例えば、特許文献２参照。）。
【特許文献１】特開平２００４−６５６４７号公報（第２−４段落００２５、図３）
【特許文献２】登録実用新案第３０５５２３９号公報（第４、図１）
【発明の開示】
【発明が解決しようとする課題】
【０００４】
前記のように、スピ−カの磁石の後面に該後面を覆うように防磁シ−トを貼着するようにすれば、球タンク内の磁石に近い部位の遊技球に強い磁界による悪影響を及ぼすようなことはなくなる。しかしながら、所定の大きさの防磁シ−トを別途に用意するなどのコストが掛かり、しかも、各スピ−カの磁石の後面に防磁シ−トを貼着するなどその作業が面倒であって余分な手間が掛かるという課題がある。
【０００５】
そこで、本発明は上記課題を解決すべくなされたもので、球タンクに磁石から遊技球を所定の距離遠ざける遮蔽部を該球タンクに一体に成形し、防磁シ−トを使用した場合のようにコストや面倒で余分な手間を省略できるようにした遊技機を提供することを目的とするものである。
【課題を解決するための手段】
【０００６】
かかる目的を達成するため本発明に係る遊技機は、遊技機本体の前側上部にスピ−カが配設され、前記遊技機本体の後側上部に前記スピ−カに近接させて球タンクが配設された遊技機であって、前記球タンク内における前記スピ−カの磁石に近い部位に、前記球タンクに貯留される遊技球の内、前記磁石に近い部位の遊技球に対し前記磁石による強い磁界の影響を少なくするため前記磁石から前記遊技球を所定の距離遠ざける遮蔽部を球タンクに一体に成形するようにした構成からなる。
【０００７】
この際、前記遮蔽部は、例えば、前記球タンク内の前側壁と底壁との間に配設され該球タンクと一体に成形される平行な複数枚の遮蔽板からなり、前記各遮蔽板はその上端縁が前記前側壁側から離れるに従い漸次高さが低くなるように前記底壁上面に対して所定の角度で傾斜し、前記各遮蔽板間の溝の中心軸線間の距離は隣り合う遊技球同士が支え接触した状態で横並びしないように遊技球の球径よりも短くした構成が採られる。
【０００８】
また、前記遮蔽部は、前記球タンク内の前側壁と一側壁とのなす角部部位に位置し、その上面が前記前側壁側から前記底壁上面に至るまで該底壁上面に対し所定の角度で下傾するようにした構成が採られる。
【０００９】
更に、前記遮蔽部は、前記球タンク内の前側壁と一側壁とのなす角部部位に位置し、その周囲の側面がほぼ鉛直状に成形されるようにした構成が採られる。
【発明の効果】
【００１０】
本発明に係る遊技機は、球タンク内におけるスピ−カの磁石に近い部位に、球タンクに貯留される遊技球の内、前記磁石に近い部位の遊技球に対し磁石による強い磁界の影響を少なくするため磁石から遊技球を所定の距離遠ざける遮蔽部を球タンクに一体に成形するようにした。このように、遮蔽部を球タンクと一体に成形するようにすれば、球タンクの金型の一部のみを修正すれば済み、成形が簡単である。また、防磁シ−トを別途に用意するなどのコストが掛からず、該防磁シ−トを磁石の外周面に貼着するといった必要性もなくなり、余分な手間が掛からず、引いては遊技機の製作コストを低廉になし得るという効果がある。
【００１１】
前記遮蔽部は、球タンク内の前側壁と底壁との間に配設され該球タンクと一体に成形される平行な複数枚の遮蔽板からなり、各遮蔽板をその上端縁が前側壁側から離れるに従い漸次高さが低くなるように底壁上面に対して所定の角度で傾斜し、前記各遮蔽板間の溝の中心軸線間の距離は遊技球の球径よりも短くて隣り合う遊技球同士が支え接触した状態で横並びしないようにしている。これにより、磁石に近い部位にある遊技球もそれぞれ互いに分離され、しかも、球タンク内の遊技球の減量と共に各遮蔽板の上端縁の傾斜に沿って下方へ転がり落ちて磁石から遠ざかり、強い磁界の影響を受けにくくなる。
【００１２】
また、前記遮蔽部は、球タンク内の前側壁と一側壁とのなす角部部位に位置し、上面を前側壁側から底壁上面に至るまで底壁上面に対し所定の角度で下傾するように成形すれば、遮蔽部の上面に乗る遊技球が下方へ落ちて磁石から遠ざかり、強い磁界の影響を受けにくくなる。
【００１３】
更に、前記遮蔽部は、球タンク内の前側壁と一側壁とのなす角部部位に位置し、周囲の側面をほぼ鉛直状に成形すれば、その周囲の遊技球は磁石から遠ざかり、強い磁界の影響を受けにくくなる。
【発明を実施するための最良の形態】
【００１４】
以下、本発明に係る遊技機の実施の形態を図面に基づき説明する。なお、本発明はパチンコ遊技機、アレンジボ−ル機または雀球遊技機等の遊技機に適用されるが、その内、その一例としてパチンコ遊技機について説明する。図１は本発明が適用されるパチンコ遊技機の正面図、図２は同後側から見た斜視図、図３は図１のＸ−Ｘ線拡大断面図、図４はＹ−Ｙ線拡大断面図をそれぞれ示す。
【００１５】
パチンコ遊技機Ｐは、縦長方形状の外枠１と、該外枠１の前面に一側上下部を軸着して開閉自在に取着される内枠２とにより遊技機本体ｐが成形される。そして、内枠２に遊技盤３が配設される。遊技盤３の前面には、外側・内側のガイドレ−ル４ａ，４ｂが渦巻状に敷設されると共にこれら外側・内側のガイドレ−ル４ａ，４ｂにより囲まれて遊技部３ａが成形される。
【００１６】
また、前記遊技部３ａには、多くの障害釘５や風車６、一回の入賞により所定個数（例えば、１３個）の賞球が払い出される一般入賞口７が配置される。また、例えば遊技部３ａの中央部に可変表示装置８が設けられる。更に、その下方に遊技球が入賞することにより該可変表示装置８を動作させる始動入賞口９、前記可変表示装置８が特別な図柄を表示し特別遊技状態になったとき一度に多くの入賞球が発生し、沢山の賞球が得られる大型の入賞装置１０が配置される。
【００１７】
前記内枠２の前側上部の両側にそれぞれスピ−カ取付孔１１，１１が開設され、各スピ−カ取付孔１１に、スピ−カ１２が挿通され前側を向いた状態で配置固定される。各スピ−カ１２は、振動板（図示せず。）を内装した漏斗状のフレ−ム１３の後側に環状の磁石１４を装着したボトムヨ−ク１５が一体に設けられている。
【００１８】
前記内枠２の前面に、一側を軸着して自在に開閉し前記遊技盤３の前面を覆う透明板保持枠１６が配置される。該透明板保持枠１６には、前記遊技盤３の遊技部３ａが前から視認できるように窓開口１７が開設され、該窓開口１７は、一対の透明板１８，１８、例えば合成樹脂板又はガラス板により塞がれている。透明板保持枠１６の上部両側に各スピ−カ１２，１２に対向して透音カバ−１２ａが装着される。透明板保持枠１６の下方には、遊技盤３の下部前面を覆う前板１９が同じく一側を軸着して開閉自在に設けられている。この前板１９の前面に打球発射位置（図示せず。）に供給する打球としての遊技球を貯留するための上部球皿２０が装着される。
【００１９】
内枠２の下部前面には、前記上部球皿２０から溢れて排出された遊技球を貯留するための下部球皿２１が装着されている。また、該下部球皿２１の一側に灰皿２２が設けられ、他側に打球の打球力を調整するための打球調整ハンドル２３が装着されている。
【００２０】
前記内枠２の後面に、遊技盤４の後面に接するようにして合成樹脂製の機構板２４が一側を軸着して開閉自在に設けられる。機構板２４は、その中央部に前記遊技盤３の裏面が臨む略方形状の開口２５が開設され、該開口２５を介して前記遊技盤３に装着された可変表示装置８の後部を覆うカバ−２６が後方へ突出している。そして、機構板２４の後面上部の一側（軸着側）に寄せて球タンク２７が配設される。また、その一側に、該球タンク２７から排出される遊技球を下方へ誘導するタンクレ−ル２８が配置される。該タンクレ−ル２８の流下端は、球供給通路２９を介して球払出装置３０に連設される。
【００２１】
また、前記球払出装置３０の下方に、該球払出装置３０から払い出される遊技球を前記前板１９前面の上部球皿２０に排出するための球排出通路３１が縦方向に設けられる。なお、機構板２４の下部後面に、前後方向に高さの異なる二つのケ−ス取付面部３２ａ，３２ｂが隣接して成形され、それぞれのケ−ス取付面部３２ａ，３２ｂに遊技内容を制御する配線基板が封入された二つの基板ボックス（図示せず。）が装着されることになる。
【００２２】
図３に示すように前記球タンク２７が機構板２４の後面に配設されたとき、球タンク２７の前側壁２７ａとスピ−カ１２の磁石１４とが近接することになり、球タンク２７内の遊技球であって磁石１４に近い側の遊技球が磁石１４による強い磁界の影響を受け易くなる。
【００２３】
そこで、本発明の球タンク２７は、合成樹脂材により成形され上面が開放する平面略長方形状をなし、図５に示すように側壁２７ｂ，２７ｃの外側面に取付片３３，３３が突設され、下流側の側壁２７ｃの下部にタンクレ−ル２８と連通する排出口３４が開設される。底壁２７ｅの上面は排出口３４に向かってやや下傾している。
【００２４】
そして、スピ−カ１２の磁石１４に近い側であって、前側壁２７ａと上流側の側壁２７ｂとのなす角部部位に遮蔽部３５が設けられる。
【００２５】
更に、詳しく説明すると、前記遮蔽部３５は、前側壁２７ａの内面と底壁２７ｅとの間に配設され、ほぼ直交するように成形される平行な複数枚の遮蔽板３５ａ，３５ａ…からなる。隣接する各遮蔽板３５ａ，３５ａは、それら間隔が一側壁２７ｂとの間隔も含め総て同じであって、図６に示すように各遮蔽板３５ａ間の溝の中心軸線間の距離Ｓは遊技球Ｂの球径よりも短い。よって、いずれかの遮蔽板３５ａ，３５ａ間に隣り合う遊技球Ｂ，Ｂがあるとき、これら遊技球Ｂ，Ｂ同士が支え接触した状態で一緒に横並びしないようになっている。これにより、強い磁界の影響を受けた複数個の遊技球Ｂが互いに横方向に接触した状態で並んで強い磁着力が生じないようにしている。
【００２６】
また、各遮蔽板３５ａの上端縁３５ｂは、前側壁２７ａ側から離れるにつれて底壁２７ｅ上面まで漸次高さが低くなるように底壁２７ｅ上面に対して所定の角度で下傾しており、しかも、隣接する一側壁２７ｂから他側壁２７ｃ側へ進むに従い各遮蔽板３５ａの上端縁３５ｂが漸次低くなるようになっている。なお、各遮蔽板３５ａの上端縁３５ｂの底壁２７ｅ上面に対する傾斜角度は、磁石１４による磁界の影響があっても、その磁着力よりも遊技球の自重が勝り、各遮蔽板３５ａの上端縁３５ｂの遊技球が総てその上端縁３５ｂに沿って転げ落ちるように設定されている。前記各遮蔽板３５ａの傾斜下端であって底壁２７ｅ上面部位では、この部位に位置する遊技球Ｂが磁石１４による強い磁界の影響を受けないようになっている。
【００２７】
本発明に係るパチンコ遊技機は上記構成からなり、例えば、球タンク２７内に遊技球Ｂが貯留された状態では、遮蔽部３５の上面に乗る遊技球Ｂは、その遮蔽板３５ａの上端縁３５ｂが所定の角度下傾していることから、たとえ、スピ−カ１２の磁石１４による強い磁界の影響により磁石１４に磁着されようとしても、図６、図７鎖線に示すようにその磁着力よりも自重で各遮蔽板３５ａの上端縁３５ｂの傾斜に沿って下方へ転げ落ちる力の方が勝り、球タンク２７内の遊技球Ｂの減量に伴い傾斜に沿って下方へ転げ落ちることとなり、球タンク２７内に留まることなく排出される。
【００２８】
前記遮蔽部３５は、球タンク２７に一体に成形されるので、その球タンク２７の金型を少し修正するのみで済み、従来のように防磁シ−トを別途用意するなどのコストが掛からず、該防磁シ−トを磁石の外周面に貼着するといった必要性がなくなり、余分な手間が掛からない。また、遮蔽部３５を設けることにより、球タンク２７内における磁石１４に近い部位の遊技球Ｂも磁化されにくい。よって、それら遊技球Ｂの外周面にもゴミが付着しにくく、これにより遊技盤面や各種球通路の内壁面の汚れが抑えられる。
【００２９】
図８、図９は遮蔽部の他の実施の形態に係るものである。この遮蔽部３６は、球タンク２７内の前側壁２７ａと一側壁２７ｂとの角部部位に位置する。そして、その部位の底壁２７ｅを上方へ押し上げると共に前側壁２７ａ側を高く、反対側の下縁を底壁２７ｅ上面にまで至らせるようにして、その上面３６ａを前側壁２７ａ側から底壁２７ｅ上面に対し所定の角度で下傾するように成形している。しかも、該上面３６ａは他側壁２７ｃ側すなわち排出口３４側にもやや傾斜している。
【００３０】
前記遮蔽部３６は、その傾斜角度が本実施の形態と同様に、磁石１４による磁界の影響があったとしても、その磁着力よりも遊技球Ｂの自重が勝り、遮蔽部３６の上面３６ａの遊技球Ｂが総てその上面３６ａに沿って転げ落ちるように設定されている。また、前記各遮蔽部３６の傾斜下端であって底壁２７ｅ上面部位では、この部位に位置する遊技球Ｂが磁石１４による強い磁界の影響を受けないようになっている。
【００３１】
そして、例えば、球タンク２７内に遊技球Ｂが貯留された状態では、遮蔽部３６の上面３６ａに乗る遊技球Ｂは、その上面３６ａが所定の角度下傾していることから、たとえ、スピ−カ１２の磁石１４による強い磁界の影響を受け磁石１４に磁着されようとしても、図９鎖線に示すようにその磁着力よりも自重で遮蔽部３６の上面３６ａの傾斜に沿って下方へ転げ落ちる力の方が勝る。よって、球タンク２７内の遊技球Ｂの減量に伴い遊技球Ｂがその上面３６ａに沿って下方へ転げ落ちることとなり、球タンク２７内に遊技球Ｂが留まることなく排出される。
【００３２】
また、この場合も、前記遮蔽部３６が、底壁２７ｅを押し上げるようにして一体に成形されるので、球タンク２７の金型を少し修正するのみで済む。よって、従来のように防磁シ−トを別途に用意するなどのコストが掛からず、該防磁シ−トを磁石の外周面に貼着するといった必要性もなくなり、余分な手間が掛からない。
【００３３】
図１０の遮蔽部も他の実施の形態に係るものである。この遮蔽部３７は、球タンク２７内の前側壁２７ａと一側壁２７ｂとのなす角部部位であって、その部位の底壁２７ｅを上方へ押し上げるようにして成形され、その上面３７ａはほぼ水平であり側面３７ｂ，３７ｃはほぼ鉛直面をなす。この内、前側壁２７ａと対向する側面３７ｂが、一側壁２７ｂ側から他側壁２７ｃ側すなわち排出口３４側に向かうに従い前側壁２７ａ側へ少し傾くようになっている。また、この遮蔽部３７は、この周囲に位置する遊技球Ｂがスピ−カ１２の磁石１４による強い磁界の影響を受けないようにその大きさが選ばれる。
【００３４】
このような遮蔽部３７であっても、スピ−カ１２の磁石１４による強い磁界から遊技球Ｂを逃すことができ、強く磁化されにくくなっている。よって、球タンク２７内の遊技球Ｂの減量に伴いすべての遊技球Ｂが留まることなく排出される。また、該遮蔽部３７は、球タンク２７の金型を少し修正するのみで成形されるので、従来のように防磁シ−トを別途に用意するなどのコストが掛からず、該防磁シ−トを磁石の外周面に貼着するといった必要性もなくなり、余分な手間が掛からないことになる。
【図面の簡単な説明】
【００３５】
【図１】本発明が適用されるパチンコ遊技機の正面図。
【図２】同後から見た斜視図。
【図３】図１のＸ−Ｘ線断面図。
【図４】図１のＹ−Ｙ線断面図。
【図５】球タンクの斜視図。
【図６】作用を示す球タンク部位の平面断面図。
【図７】同球タンク部位の側面断面図。
【図８】他の実施の形態に係る球タンクの斜視図。
【図９】同作用を示す球タンク部位の側面断面図。
【図１０】他の実施の形態に係る球タンクの斜視図。
【符号の説明】
【００３６】
１２                スピ−カ
１４                磁石
２７                球タンク
２７ａ              前側壁
２７ｅ              底壁
３５                遮蔽部
３５ａ              遮蔽板
３５ｂ              上端縁
３６                遮蔽部
３６ａ              上面
３７                遮蔽部
３７ｂ              側面
３７ｃ              側面
ｐ                  遊技機本体
Ｐ                  遊技機（パチンコ遊技機）
【図１】
2007159931.tif 000003
【図２】
2007159931.tif 000004
【図３】
2007159931.tif 000005
【図４】
2007159931.tif 000006
【図５】
2007159931.tif 000007
【図６】
2007159931.tif 000008
【図７】
2007159931.tif 000009
【図８】
2007159931.tif 000010
【図９】
2007159931.tif 000011
【図１０】
2007159931.tif 000012